(57)【要約】【課題】  通常の執務机のように使用できるとともに、対面状態で着座してモニターを見ながらミーティングを行うことが可能な机と収納キャビネットの組合せ家具を提供する。【解決手段】  天板１の一端部を脚部２で支持するとともに、天板１の他端部を収納キャビネット３の上面板６の一部に重なるように配置して該上面板６で支持し、平面視において天板１の少なくとも前後一側と側方に上面板６が露出し、前記天板１の側方に段落ち状態で露出した収納キャビネット３の上面板６を、モニターを載置可能なモニター載置部６Ａとした。上面板と重なる天板に開口部９を設けるとともに、開口部に開閉可能なダクトカバー１０を設け、更に開口部の内部に接続端子１１を備えた。【選択図】        図１
2014073283.tif 000002
【特許請求の範囲】
【請求項１】
天板の一端部を脚部で支持するとともに、天板の他端部を収納キャビネットの上面板の一部に重なるように配置して該上面板で支持し、平面視において前記天板の少なくとも前後一側と側方に前記上面板が露出し、前記天板の側方に段落ち状態で露出した前記収納キャビネットの上面板を、モニターを載置可能なモニター載置部としてなることを特徴とする机と収納キャビネットの組合せ家具。
【請求項２】
前記上面板と重なる天板に開口部を設けるとともに、該開口部に開閉可能なダクトカバーを設け、更に開口部の内部に接続端子を備えてなる請求項１記載の机と収納キャビネットの組合せ家具。
【請求項３】
前記天板の両端部に開口部を設けるとともに、該開口部に開閉可能なダクトカバーを設け、更に開口部の内部に接続端子を備えてなる請求項１記載の机と収納キャビネットの組合せ家具。
【請求項４】
前記収納キャビネットは、上面板の下方に間隔を置いて棚板を設け、該棚板の下方に引出しを設け、前記上面板と棚板間に縦ダクトを設けてモニターの荷重を該縦ダクトで支持してなる請求項１〜３何れか１項に記載の机と収納キャビネットの組合せ家具。
【請求項５】
前記脚部がキャビネットである請求項１〜４何れか１項に記載の机と収納キャビネットの組合せ家具。
【発明の詳細な説明】
【技術分野】
【０００１】
本発明は、机と収納キャビネットの組合せ家具に係わり、更に詳しくは対面状態で着座してミーティングを行うことが可能な机と収納キャビネットの組合せ家具に関するものである。
【背景技術】
【０００２】
従来から天板の前後両側に対面状態で着座してミーティングを行うことが可能な机は各種提供されている。通常、一般の執務机は、オーナーが着座する側は決まっており、反対面は幕板で覆われている。例えば、上司に部下が報告や説明等の行う場合、上司の机の反対側に部下が座ることができるように、幕板を前側に寄せたタイプの机も提供されている。勿論、足入れ空間が自由なミーティングテーブルでは、何の不自由もなく対面して着座することができる。
【０００３】
通常、報告や説明等を行う場合、ノート型パーソナルコンピュータ（ノートパソコン）やタブレット型携帯端末を使用することが多い。あるいは、最近ではパソコン機能を有するスマートフォンで撮影した写真等を用いて説明することも増えてきた。その場合、パソコン等の電子機器に電源を供給するための電源タップも必要になるとともに、大きなモニターに映し出して説明をすることが効果的な場合も多い。従来、机の天板の片隅にテレビモニターを置いて、そのモニターにパソコンを接続した表示させるということも行われているが、そのようなシーンで便利に使用できる机やテーブルは提供されてなかった。
【０００４】
ここで、特許文献１に記載されるようなテーブルの一端部をキャビネットで支持した構造の机と収納キャビネットの組合せ家具は、従来から提供されている。また、特許文献２に記載されるように、キャビネットの天板に配線孔を設け、天板下方の内部に設けたコンセントにパソコンの電源コードを接続できるようにした配線機能付きのキャビネットも提供されている。
【先行技術文献】
【特許文献】
【０００５】
【特許文献１】実開平３−７７４４号公報
【特許文献２】特開２００２−２１９０２７号公報
【発明の概要】
【発明が解決しようとする課題】
【０００６】
そこで、本発明が前述の状況に鑑み、解決しようとするところは、通常の執務机のように使用できるとともに、対面状態で着座してモニターを見ながらミーティングを行うことが可能な机と収納キャビネットの組合せ家具を提供する点にある。
【課題を解決するための手段】
【０００７】
本発明は、前述の課題解決のために、天板の一端部を脚部で支持するとともに、天板の他端部を収納キャビネットの上面板の一部に重なるように配置して該上面板で支持し、平面視において前記天板の少なくとも前後一側と側方に前記上面板が露出し、前記天板の側方に段落ち状態で露出した前記収納キャビネットの上面板を、モニターを載置可能なモニター載置部としてなることを特徴とする机と収納キャビネットの組合せ家具を構成した（請求項１）。
【０００８】
ここで、前記上面板と重なる天板に開口部を設けるとともに、該開口部に開閉可能なダクトカバーを設け、更に開口部の内部に接続端子を備えてなることが好ましい（請求項２）。
【０００９】
更に、前記天板の両端部に開口部を設けるとともに、該開口部に開閉可能なダクトカバーを設け、更に開口部の内部に接続端子を備えてなることも好ましい（請求項３）。
【００１０】
更に、前記収納キャビネットは、上面板の下方に間隔を置いて棚板を設け、該棚板の下方に引出しを設け、前記上面板と棚板間に縦ダクトを設けてモニターの荷重を該縦ダクトで支持してなることがより好ましい（請求項４）。
【００１１】
また、前記脚部がキャビネットであることも好ましい（請求項５）。
【発明の効果】
【００１２】
以上にしてなる請求項１に係る発明の机と収納キャビネットの組合せ家具は、天板の一端部を脚部で支持するとともに、天板の他端部を収納キャビネットの上面板の一部に重なるように配置して該上面板で支持し、平面視において前記天板の少なくとも前後一側と側方に前記上面板が露出し、前記天板の側方に段落ち状態で露出した前記収納キャビネットの上面板を、モニターを載置可能なモニター載置部としたので、通常の執務机のように使用できるとともに、天板の前後に対面状態で着座して天板側方のモニター載置部に載置したモニターを見ながらミーティングを行うことができる。更に、前記天板の側方に設けたモニター載置部は、天板に対して段落ちしているので、モニターの支持脚が目立ち難くなったり、リモコン等をモニターの支持脚の近くに置いても目立ち難い。更に、天板の前後一側に張り出した収納キャビネットの上面板をサイドテーブルとして利用することができる。
【００１３】
請求項２によれば、前記上面板と重なる天板に開口部を設けるとともに、該開口部に開閉可能なダクトカバーを設け、更に開口部の内部に接続端子を備えてなるので、天板上に載置したノートパソコン等の電子機器の電源コードを接続端子に接続し、またモニターに接続する信号ケーブルを接続端子に接続して、ノートパソコン等からモニターに映像を送って大きく映し出すことができ、使用しないときにはダクトカバーを閉じれば通常の天板として広く使用できる。
【００１４】
請求項３によれば、前記天板の両端部に開口部を設けるとともに、該開口部に開閉可能なダクトカバーを設け、更に開口部の内部に接続端子を備えてなるので、複数の電子機器を接続することもでき、使用勝手の良い方のダクトカバーを開いて開口部を開放し、配線コードを開口部内に配線することができる。
【００１５】
請求項４によれば、前記収納キャビネットは、上面板の下方に間隔を置いて棚板を設け、該棚板の下方に引出しを設け、前記上面板と棚板間に縦ダクトを設けてモニターの荷重を該縦ダクトで支持してなるので、上面板の下方の棚板をオープン棚として使用でき、光ディスク型あるいはハードディスク型のレコーダ等の映像機器を収納を収納することができ、また重量の重い大型のモニターを上面板のモニター載置部に載置した場合にも、上面板の撓みを抑制することができる。
【００１６】
請求項５によれば、前記脚部がキャビネットであると、該キャビネットも収納に使用でき、両袖机のように使用することができる。
【図面の簡単な説明】
【００１７】
【図１】本発明に係る机と収納キャビネットの組合せ家具の使用例を示す斜視図である。
【図２】同じく机と収納キャビネットの組合せ家具の斜視図である。
【図３】同じく平面図である。
【図４】同じく部分断面で示した正面図である。
【図５】同じく縦断側面図である。
【図６】同じく部分縦断側面図である。
【発明を実施するための形態】
【００１８】
次に、添付図面に示した実施形態に基づき、本発明を更に詳細に説明する。図１〜図３は、本発明に係る机と収納キャビネットの組合せ家具を示し、図４〜図６は内部構造を示し、図中符号１は天板、２は脚部、３は収納キャビネット、４はモニター、５はノートパソコンを示している。
【００１９】
本発明に係る机と収納キャビネットの組合せ家具は、天板１の一端部を脚部２で支持するとともに、天板１の他端部を収納キャビネット３の上面板６の一部に重なるように配置して該上面板６で支持し、平面視において前記天板１の少なくとも前後一側と側方に前記上面板６が露出し、前記天板１の側方に段落ち状態で露出した前記収納キャビネット３の上面板６を、モニターを載置可能なモニター載置部６Ａとした。ここで、前記脚部２がキャビネットであっても良い。本実施形態では、前記脚部２の内側にキャビネットワゴン７を配置している例を示している。
【００２０】
ここで、前記天板１は横長の長方形であり、前記収納キャビネット３は縦長の長方形であり、前記天板１の端部が収納キャビネット３の上面板６の奥行幅の半分より若干狭い部分に重なり、この重なった部分で天板１の奥行き方向の両側部を支持台８，８で上面板６に連結している。本実施形態では、図３に示すように、平面視において前記天板１の前後一側と側方に前記上面板６がＬ字状に露出しているが、前記収納キャビネット３の縦長寸法を大きくして、前記天板１の前後両側と側方に前記上面板６がコ字形に露出するように配置することも好ましい。また、図４及び図５に示すように、前記天板１と収納キャビネット３の上面板６との間に段差があり、この段差の存在により、前記モニター載置部６Ａの高さが低く抑えられ、該モニター載置部６Ａに載置したモニターの支持脚を目立たなくすることができるとともに、大型のモニターでも画面の位置を座った状態で見やすい適度な高さに設定することが可能である。
【００２１】
そして、前記上面板６と重なる天板１に開口部９を設けるとともに、該開口部９に開閉可能なダクトカバー１０を設け、更に開口部９の内部に接続端子１１を設けている。実際には、前記ダクトカバー１０を側縁部で回動開閉するように設け、該ダクトカバー１０の裏面回動部に近い位置に前記接続端子１１を設けている。前記接続端子１１には、ノートパソコン５の電源コードＤとモニター４に映像信号を送る信号ケーブルＣ等のコネクターが設けられている。前記開口部９は、前記天板１の前後中央部に設けてあり、該開口部９の側方に前記モニター載置部６Ａが位置しているので、該モニター載置部６Ａに載置したモニター４からの配線距離が短くなり、電源コードＤや信号ケーブルＣが天板１下に隠れるので露出が少なくなる。尚、前記天板１から露出した収納キャビネット３の上面板６のどこにモニター４を置いても良いが、特に天板１の側方のモニター載置部６Ａにモニター４を載置すると、前記天板１の前後に着座した両者から見やすい場所にモニター４が位置する。
【００２２】
更に、前記収納キャビネット３は、上面板６の下方に間隔を置いて棚板１２を設け、該棚板１２の下方に引出し１３，１３を設け、前記上面板６と棚板１２間に縦ダクト１４を設けてモニター４の荷重を該縦ダクト１４で支持し、前記上面板６が撓まないようにしている。
【００２３】
本実施形態では、前記天板１の一端部に開口部９とダクトカバー１０を設けたが、天板１の両端部に前記開口部９を設けるとともに、該開口部９に開閉可能なダクトカバー１０を設けてもよい。
【００２４】
次に、前記収納キャビネット３の内部の配線構造を説明する。図２、図４〜図６に示すように、前記収納キャビネット３は、両側板１５，１５の上端に前記上面板６を渡設するとともに、両側板１５，１５の下端部の前後端に下連結杆１６，１６を渡設し、前記上面板６の下方に間隔をおいて前記棚板１２を渡設し、前記縦ダクト１４に対応する前記棚板１２と下連結杆１６，１６との間に間隔を置いて２枚の仕切板１７，１７を立設し、両仕切板１７，１７の間を配線空間１８としている。前記側板１５と仕切板１７の間にはそれぞれ前記引出し１３を設けている。
【００２５】
図５及び図６に示すように、前記縦ダクト１４に対応する前記上面板６には挿通口１９を前記開口部１０と対向させて形成している。また、前記棚板１２に前記縦ダクト１４に連通する挿通孔２０を形成し、更に少なくとも一方の前記仕切板１７の奥部で前記引出し１３と干渉しない位置に、側方へ連通する側孔２１を形成している。更に、前記側孔２１を形成した仕切板１７と側板１５の奥部の上下中間位置には、背面板２２と間隔を隔てて保持板２３を渡設している。そして、床面から引き出した配線コード類Ｈを前記収納キャビネット３の底面部に引き込み、前記保持板２３の背後を迂回させて前記仕切板１７の側孔２１に通し、更に前記配線空間１８から棚板１２の挿通孔２０を通して縦ダクト１４へ導き、それから上面板６に形成した挿通口１９を通して前記接続端子１１に接続する。また、前記モニター４に接続する電源コードＤと信号ケーブルＣは、前記接続端子１１に接続するが、その余剰コードは前記挿通口１９から縦ダクト１４内、あるいは配線空間１８に収納して、上面板６の上の配線をすっきりさせる。
【符号の説明】
【００２６】
１  天板、
２  脚部、
３  収納キャビネット、
４  モニター、
５  ノートパソコン、
６  上面板、
６Ａ  モニター載置部、
７  キャビネットワゴン、
８  支持台、
９  開口部、
１０  ダクトカバー、
１０  開口部、
１１  接続端子、
１２  棚板、
１４  縦ダクト、
１５  側板、
１６  下連結杆、
１７  仕切板、
１８  配線空間、
１９  挿通口、
２０  挿通孔、
２１  側孔、
２２  背面板、
２３  保持板、
２４  幕板、
Ｃ  信号ケーブル、
Ｄ  電源コード、
Ｈ  配線コード類。
【図１】
2014073283.tif 000003
【図２】
2014073283.tif 000004
【図３】
2014073283.tif 000005
【図４】
2014073283.tif 000006
【図５】
2014073283.tif 000007
【図６】
2014073283.tif 000008